(57)【要約】【課題】  セキュリティレベルを従来より向上することができる機能連携システムを提供する。【解決手段】  機能連携システム１０は、ＭＡ２０と、ＭＡ２０に機能を提供可能な機能提供部３１を有したＳＡ３０と、ＭＡ２０が使用するＭＡ鍵情報を生成する鍵情報生成部４１を有した鍵サーバ４０とを備え、ＭＡ２０は、ＳＡ３０のＩＤをＳＡ３０から読み取るＳＡＩＤ読取部２１と、ＳＡＩＤ読取部２１によって読み取られたＳＡ３０のＩＤおよびＭＡ２０自身のＩＤを鍵サーバ４０に送信するＩＤ送信部２３と、鍵情報生成部４１によって生成されたＭＡ鍵情報をＳＡ３０に送信する鍵情報送信部２４とを有し、鍵情報生成部４１は、ＩＤ送信部２３によって送信されたＭＡ２０のＩＤおよびＳＡ３０のＩＤに基づいて毎回異なるＭＡ鍵情報を生成し、機能提供部３１は、鍵情報送信部２４によって送信されたＭＡ鍵情報に基づいてＭＡ２０に機能を提供するか否かを判断する。【選択図】  図１
2005318175.tif 000002
【特許請求の範囲】
【請求項１】
ＩＤ読取手段、ＩＤ送信手段、および利用者端末用鍵情報送信手段を有する利用者端末と、
機能提供手段を有する機能提供端末と、
鍵情報生成手段、および鍵情報送信手段を有する鍵情報生成装置と、を備えた機能連携システムであって、
前記ＩＤ読取手段は、前記機能提供端末からＩＤを読み取り、
前記ＩＤ送信手段は、前記読み取った機能提供端末のＩＤおよび利用者端末のＩＤを前記鍵情報生成装置に送信し、
前記鍵情報生成手段は、前記送信された機能提供端末のＩＤおよび利用者端末のＩＤに基づいて毎回異なる利用者端末用鍵情報を作成し、
前記鍵情報送信手段は、前記生成した利用者端末用鍵情報を前記利用者端末に送信し、
前記利用者端末用鍵情報送信手段は、前記利用者端末用鍵情報を前記機能提供手段に送信し、
前記機能提供手段は、前記利用者端末用鍵情報に基づいて前記利用者端末に機能を提供するか否かを判断することを特徴とする機能連携システム。
【請求項２】
前記機能連携システムは、情報提供手段を有する情報提供装置を備え、
前記利用者端末は、情報通知手段を有しており、
前記ＩＤ送信手段は、前記ＩＤ読取手段によって読み取られた前記機能提供端末のＩＤを前記情報提供装置に送信し、
前記情報提供手段は、前記送信された前記機能提供端末のＩＤに対応する機能提供端末の機能の情報を含む情報を前記利用者端末に送信し、
前記情報通知手段は、前記送信された機能提供端末の機能の情報を含む情報を利用者に通知し、
前記ＩＤ送信手段は、前記利用者端末のＩＤおよび前記機能提供端末のＩＤを前記利用者の要求に応じて前記鍵情報生成装置に送信することを特徴とする請求項１に記載の機能連携システム。
【請求項３】
前記機能連携システムにおいて、前記鍵情報生成手段は、前記ＩＤ送信手段によって送信された前記利用者端末のＩＤおよび前記機能提供端末のＩＤに基づいて、毎回異なる前記利用者端末用鍵情報および前記機能提供端末が使用する機能提供端末用鍵情報を生成し、
前記鍵情報送信手段は、前記利用者端末用鍵情報を前記利用者端末に、前記機能提供端末用鍵情報を前記機能提供端末に送信し、
前記機能提供手段は、前記利用者端末用鍵情報および前記機能提供端末用鍵情報に基づいて前記利用者端末に機能を提供するか否かを判断することを特徴とする請求項１または２に記載の機能連携システム。
【請求項４】
前記機能提供端末は、前記利用者端末に機能を提供すると前記機能提供手段が判断した回数をカウントする判断回数カウント手段を有し、
前記鍵情報生成装置は、前記鍵情報生成手段が前記利用者端末鍵情報を生成した回数をカウントする生成回数カウント手段を有しており、
前記鍵情報生成手段は前記ＩＤ送信手段から送信された前記利用者端末のＩＤ、前記機能提供端末のＩＤ、および前記判断回数カウント手段によってカウントされた回数に基づいて前記利用者端末鍵情報を生成し、
前記機能提供手段は、前記鍵情報送信手段によって送信された前記利用者端末用鍵情報、および前記判断回数カウント手段によってカウントされた回数に基づいて前記利用者端末に機能を提供するか否かを判断することを特徴とする請求項１または２に記載の機能連携システム。
【発明の詳細な説明】
【技術分野】
【０００１】
本発明は、複数の機器の機能を連携する機能連携システムに係り、特に、機能連携システムのセキュリティに関するものである。
【背景技術】
【０００２】
従来の機能連携システムとしては、銀行のＡＴＭ（Ａｕｔｏｍａｔｅｄ  Ｔｅｌｌｅｒ  Ｍａｃｈｉｎｅ）等の被操作機器を操作機器であるリモコンによって操作するものが知られている（例えば、特許文献１参照。）。
【特許文献１】特開２００３−３３０６００号公報（第４〜５頁、第５図）
【発明の開示】
【発明が解決しようとする課題】
【０００３】
しかしながら、従来の機能連携システムにおいては、被操作機器に規定された信号方式で操作信号を送信することができるリモコンであれば、何れのリモコンによっても被操作機器を操作でき、セキュリティレベルが低いという問題があった。
【０００４】
本発明は、かかる事情に鑑みなされたもので、その目的は、セキュリティレベルを従来よりも向上することができる機能連携技術を提供することにある。
【課題を解決するための手段】
【０００５】
上記課題を解決するために、本発明の機能連携システムは、ＩＤ読取手段、ＩＤ送信手段、および利用者端末用鍵情報送信手段を有する利用者端末と、機能提供手段を有する機能提供端末と、鍵情報生成手段、および鍵情報送信手段を有する鍵情報生成装置と、を備えた機能連携システムであって、前記ＩＤ読取手段は、前記機能提供端末からＩＤを読み取り、前記ＩＤ送信手段は、前記読み取った機能提供端末のＩＤおよび利用者端末のＩＤを前記鍵情報生成装置に送信し、前記鍵情報生成手段は、前記送信された機能提供端末のＩＤおよび利用者端末のＩＤに基づいて毎回異なる利用者端末用鍵情報を作成し、前記鍵情報送信手段は、前記生成した利用者端末用鍵情報を前記利用者端末に送信し、前記利用者端末用鍵情報送信手段は、前記利用者端末用鍵情報を前記機能提供手段に送信し、前記機能提供手段は、前記利用者端末用鍵情報に基づいて前記利用者端末に機能を提供するか否かを判断することを特徴とする。
【０００６】
この構成により、本発明の機能連携システムは、鍵情報生成装置によって生成され利用者端末によって送信された利用者端末用鍵情報に基づいて利用者端末に機能を提供するか否かを機能提供端末が判断するので、セキュリティレベルを従来より向上することができる。
【０００７】
また、本発明の機能連携システムは、前記機能連携システムは、情報提供手段を有する情報提供装置を備え、前記利用者端末は、情報通知手段を有しており、前記ＩＤ送信手段は、前記ＩＤ読取手段によって読み取られた前記機能提供端末のＩＤを前記情報提供装置に送信し、前記情報提供手段は、前記送信された前記機能提供端末のＩＤに対応する機能提供端末の機能の情報を含む情報を前記利用者端末に送信し、前記情報通知手段は、前記送信された機能提供端末の機能の情報を含む情報を利用者に通知し、前記ＩＤ送信手段は、前記利用者端末のＩＤおよび前記機能提供端末のＩＤを前記利用者の要求に応じて前記鍵情報生成装置に送信することを特徴とする。
【０００８】
この構成により、本発明の機能連携システムは、情報提供装置によって提供されて利用者端末によって通知された機能提供端末の機能の情報に基づいて、機能提供端末から利用者端末に機能の提供を受けるか否かを利用者に判断させることができる。
【０００９】
また、本発明の機能連携システムは、前記機能連携システムにおいて、前記鍵情報生成手段は、前記ＩＤ送信手段によって送信された前記利用者端末のＩＤおよび前記機能提供端末のＩＤに基づいて、毎回異なる前記利用者端末用鍵情報および前記機能提供端末が使用する機能提供端末用鍵情報を生成し、前記鍵情報送信手段は、前記利用者端末用鍵情報を前記利用者端末に、前記機能提供端末用鍵情報を前記機能提供端末に送信し、前記機能提供手段は、前記利用者端末用鍵情報および前記機能提供端末用鍵情報に基づいて前記利用者端末に機能を提供するか否かを判断することを特徴とする。
【００１０】
この構成により、本発明の機能連携システムは、機能提供端末および鍵情報生成装置が互いに同期した情報を有していなくても良いので、機能提供端末および鍵情報生成装置が互いに同期した情報を有していなければならない場合と比較して、新たな機能提供端末を容易に追加することができる。
【００１１】
また、本発明の機能連携システムは、前記機能提供端末は、前記利用者端末に機能を提供すると前記機能提供手段が判断した回数をカウントする判断回数カウント手段を有し、前記鍵情報生成装置は、前記鍵情報生成手段が前記利用者端末鍵情報を生成した回数をカウントする生成回数カウント手段を有しており、前記鍵情報生成手段は前記ＩＤ送信手段から送信された前記利用者端末のＩＤ、前記機能提供端末のＩＤ、および前記判断回数カウント手段によってカウントされた回数に基づいて前記利用者端末鍵情報を生成し、前記機能提供手段は、前記鍵情報送信手段によって送信された前記利用者端末用鍵情報、および前記判断回数カウント手段によってカウントされた回数に基づいて前記利用者端末に機能を提供するか否かを判断することを特徴とする。
【００１２】
この構成により、本発明の機能連携システムは、機能提供端末および鍵情報生成装置が互いに通信できない場合であっても、利用者端末に機能を提供するか否かを機能提供端末に判断させることができる。
【発明の効果】
【００１３】
本発明によれば、機能提供端末において鍵情報、カウント回数等に基づいて利用者端末に機能を提供するかを判断しているので、セキュリティレベルを従来より向上することができる機能連携システムを提供することができる
【発明を実施するための最良の形態】
【００１４】
以下、本発明の実施の形態について、図面を用いて説明する。
【００１５】
（第１の実施形態）
まず、第１の実施形態に係る機能連携システムの構成について説明する。
【００１６】
図１に示すように、本実施形態に係る機能連携システム１０は、利用者によって携帯される利用者端末（以下、「ＭＡ」という。）２０と、ＭＡ２０に機能を提供可能な機能提供手段としての機能提供部３１を有した機能提供端末（以下、「ＳＡ」という。）３０と、ＭＡ２０が使用する利用者端末用鍵情報としてのＭＡ鍵情報およびＳＡ３０が使用する機能提供端末用鍵情報としてのＳＡ鍵情報を生成する鍵情報生成手段としての鍵情報生成部４１を有した鍵情報生成装置としての鍵サーバ４０と、ＳＡ３０の機能の情報（以下「ＳＡ機能情報」という。）やＳＡ３０のＩＰ（Ｉｎｔｅｒｎｅｔ  Ｐｒｏｔｏｃｏｌ）アドレスを含むＳＡ３０用の詳細情報をＭＡ２０に提供可能な情報提供手段としての詳細情報提供部５１を有した情報提供装置としての詳細情報サーバ５０と、詳細情報サーバ５０のＩＰアドレスを含むＳＡ３０用の基本情報をＭＡ２０に提供可能な基本情報提供部６１を有した基本情報サーバ６０とを備えている。
【００１７】
なお、ＭＡ２０、ＳＡ３０、鍵サーバ４０、詳細情報サーバ５０および基本情報サーバ６０は、インターネット等のネットワーク１１に接続されている。このネットワーク１１には、ＬＡＮ、インターネット、公衆回線を介したパソコン通信網、その他の有線又は無線を利用することができる。
【００１８】
ネットワーク１１を介する通信は、秘密鍵暗号方式や公開鍵暗号方式等の暗号方式を利用してセキュアに行われるようになっている。
【００１９】
ここで、ＭＡ２０は、ＳＡ３０のＩＤ（以下、「ＳＡＩＤ」という。）をＳＡ３０から電子的又は光学的に読み取るＩＤ読取手段としてのＳＡＩＤ読取部２１と、ＭＡ２０自身のＩＤ（以下、「ＭＡＩＤ」という。）を保持したＭＡＩＤ保持部２２と、ＳＡＩＤ読取部２１によって読み取られたＳＡＩＤおよびＭＡＩＤ保持部２２によって保持されたＭＡＩＤを含みＳＡ３０の機能の利用を鍵サーバ４０に申請するための利用申請情報を利用者の指示に応じて鍵サーバ４０に送信するＩＤ送信手段としてのＩＤ送信部２３と、鍵サーバ４０の鍵情報生成部４１によって生成されたＭＡ鍵情報をＳＡ３０に送信する鍵情報送信手段としての鍵情報送信部２４と、詳細情報提供部５１によって提供されたＳＡ機能情報を利用者に通知する情報通知手段としての情報通知部２５とを有している。
【００２０】
また、ＭＡ２０は、鍵サーバ４０および基本情報サーバ６０のＩＰアドレスを予め保持している。
【００２１】
なお、ＭＡ２０のＩＤ送信部２３は、ＳＡＩＤ読取部２１によって読み取られたＳＡＩＤを詳細情報サーバ５０や基本情報サーバ６０に送信するようになっている。
【００２２】
また、ＳＡ３０は、ＳＡＩＤを保持したＳＡＩＤ保持部３２を有している。このＳＡ３０は、社会の中に偏在していて単独でも動作可能な端末であり、例えば電車内や街中に設置されたディスプレイや、公衆電話等である。
【００２３】
なお、ＳＡ３０の機能提供部３１は、ＭＡ２０の鍵情報送信部２４によって送信されたＭＡ鍵情報と、鍵サーバ４０の鍵情報生成部４１によって生成されたＳＡ鍵情報とに基づいて、ＭＡ２０に機能を提供するか否かを判断するようになっている。
【００２４】
また、鍵サーバ４０は、鍵情報生成部４１によって生成されたＭＡ鍵情報、ＳＡ鍵情報をそれぞれＭＡ２０、ＳＡ３０に送信する鍵情報送信部４２を有している。
【００２５】
なお、鍵サーバ４０の鍵情報生成部４１は、ＭＡ２０のＩＤ送信部２３によって送信された利用申請情報に含まれているＭＡＩＤおよびＳＡＩＤに基づいて毎回異なるＭＡ鍵情報、ＳＡ鍵情報を生成するようになっている。
【００２６】
また、詳細情報サーバ５０は、ＳＡ３０用の詳細情報をＳＡＩＤに対応付けて記憶した詳細情報記憶部５２を有している。
【００２７】
なお、詳細情報サーバ５０の詳細情報提供部５１は、ＭＡ２０のＩＤ送信部２３によって送信されたＳＡＩＤに応じてＳＡ機能情報をＭＡ２０に提供するようになっている。
【００２８】
また、基本情報サーバ６０は、ＳＡ３０用の基本情報をＳＡＩＤに対応付けて記憶した基本情報記憶部６２を有している。
【００２９】
次に、機能連携システム１０の動作について説明する。
【００３０】
図２に示すように、ＭＡ２０は、利用者の指示に応じて、ＳＡＩＤ読取部２１によってＳＡ３０のＳＡＩＤ保持部３２にネットワーク１１を介さずに近傍通信でアクセスし（Ｓ７１）、ＳＡＩＤ読取部２１によってＳＡ３０のＳＡＩＤ保持部３２からＳＡＩＤを読み取り（Ｓ７２）、読み取ったＳＡＩＤをＩＤ送信部２３によってネットワーク１１を介して基本情報サーバ６０に送信する（Ｓ７３）。
【００３１】
基本情報サーバ６０は、ＭＡ２０によって送信されたＳＡＩＤを受信すると、受信したＳＡＩＤに対応付けて基本情報記憶部６２に記憶していたＳＡ３０用の基本情報を基本情報提供部６１によってネットワーク１１を介してＭＡ２０に提供する（Ｓ７４）。
【００３２】
ＭＡ２０は、基本情報サーバ６０によって提供されたＳＡ３０用の基本情報を受信すると、受信したＳＡ３０用の基本情報内に含まれている詳細情報サーバ５０のＩＰアドレスに基づいて、Ｓ７２において読み取ったＳＡＩＤをＩＤ送信部２３によってネットワーク１１を介して詳細情報サーバ５０に送信する（Ｓ７５）。
【００３３】
詳細情報サーバ５０は、ＭＡ２０によって送信されたＳＡＩＤを受信すると、受信したＳＡＩＤに対応付けて詳細情報記憶部５２に記憶していたＳＡ３０用の詳細情報を詳細情報提供部５１によってネットワーク１１を介してＭＡ２０に提供する（Ｓ７６）。
【００３４】
ＭＡ２０は、詳細情報サーバ５０によって提供されたＳＡ３０用の詳細情報を受信すると、受信したＳＡ３０用の詳細情報内に含まれているＳＡ機能情報を情報通知部２５によって利用者に通知する（Ｓ７７）。
【００３５】
したがって、ＭＡ２０の利用者は、Ｓ７７においてＭＡ２０によって通知されたＳＡ機能情報に基づいて、ＳＡ３０からＭＡ２０に機能の提供を受けるか否かを判断することができる。
【００３６】
なお、Ｓ７７においてＭＡ２０によって通知されるＳＡ機能情報には、ＳＡ３０が提供可能な機能の種類の情報だけではなく、何れの種類の機能の提供をＳＡ３０から受けたときに幾らの課金が発生するかの情報等が含まれていても良い。
【００３７】
そして、ＭＡ２０は、ＳＡ３０から機能の提供を受けるということが利用者によって指示されると、Ｓ７２において読み取ったＳＡＩＤと、ＭＡＩＤ保持部２２によって保持されたＭＡＩＤと、Ｓ７６において詳細情報サーバ５０によって提供されたＳＡ３０用の詳細情報内に含まれているＳＡ３０のＩＰアドレスとを含む利用申請情報をＩＤ送信部２３によってネットワーク１１を介して鍵サーバ４０に送信する（Ｓ７８）。
【００３８】
鍵サーバ４０は、ＭＡ２０によって送信された利用申請情報を受信すると、受信した利用申請情報内に含まれているＳＡＩＤおよびＭＡＩＤに基づいてＭＡ鍵情報およびＳＡ鍵情報を鍵情報生成部４１によって生成し（Ｓ７９）、生成したＳＡ鍵情報を利用申請情報内に含まれているＳＡ３０のＩＰアドレスに基づいて鍵情報送信部４２によってネットワーク１１を介してＳＡ３０に送信するとともに（Ｓ８０）、生成したＭＡ鍵情報を鍵情報送信部４２によってネットワーク１１を介してＭＡ２０に送信する（Ｓ８１）。
【００３９】
なお、鍵サーバ４０は、Ｓ７９においてＭＡ鍵情報およびＳＡ鍵情報を生成するときに、ＭＡ２０がＳＡ３０から機能の提供を受けること可能になったことに対する課金情報を、利用申請情報内に含まれているＭＡＩＤに対応付けて記憶するようになっていても良い。
【００４０】
ＭＡ２０は、Ｓ８１において鍵サーバ４０によって送信されたＭＡ鍵情報を受信すると、受信したＭＡ鍵情報を鍵情報送信部２４によってＳＡ３０にネットワーク１１を介さずに近傍通信で送信する（Ｓ８２）。
【００４１】
次いで、ＳＡ３０は、Ｓ８２においてＭＡ２０によって送信されたＭＡ鍵情報と、Ｓ８１において鍵サーバ４０によって送信されたＳＡ鍵情報とに基づいて、ＭＡ２０に機能を提供するか否かを機能提供部３１によって判断する（Ｓ８３）。
【００４２】
例えば、ＳＡ３０は、ＭＡ鍵情報に所定の処理を施した結果と、ＳＡ鍵情報に所定の処理を施した結果とが一致するとき、ＭＡ２０が鍵サーバ４０によってＭＡ鍵情報が付与された正規の端末であると判断して、ＭＡ２０に機能を提供すると判断する。
【００４３】
そして、ＳＡ３０は、ＭＡ２０に機能を提供するとＳ８３において判断すると、機能提供部３１によってＭＡ２０に機能をネットワーク１１を介さずに近傍通信で機能を提供する。
【００４４】
即ち、ＭＡ２０およびＳＡ３０は、連携動作を開始する（Ｓ８４）。
【００４５】
以上に説明したように、機能連携システム１０は、鍵サーバ４０によって生成されＭＡ２０によって送信されたＭＡ鍵情報に基づいてＭＡ２０に機能を提供するか否かをＳＡ３０が判断するので、セキュリティレベルを従来よりも向上することができる。
【００４６】
また、機能連携システム１０は、詳細情報サーバ５０によって提供されてＭＡ２０によって通知されたＳＡ機能情報に基づいて、ＳＡ３０からＭＡ２０に機能の提供を受けるか否かを利用者に判断させることができる。
【００４７】
また、機能連携システム１０は、ＳＡ３０および鍵サーバ４０が互いに同期した情報を有していなくても良いので、ＳＡ３０および鍵サーバ４０が互いに同期した情報を有していなければならない場合と比較して、新たなＳＡ３０を容易に追加することができる。
【００４８】
（第２の実施形態）
第２の実施形態に係る機能連携システムの構成について説明する。なお、本実施の形態に係る機能連携システムの構成のうち、第１の実施形態に係る機能連携システムの構成とほぼ同様な構成については、第１の実施形態に係る機能連携システムの構成と同一の符号を付して詳細な説明を省略する。
【００４９】
図３に示すように、本実施形態に係る機能連携システム１１０は、ＭＡ２０と、ＭＡ２０に機能を提供可能な機能提供手段としての機能提供部１３１を有したＳＡ１３０と、ＭＡ鍵情報を生成する鍵情報生成手段としての鍵情報生成部１４１を有した鍵情報生成装置としての鍵サーバ１４０と、詳細情報サーバ５０と、基本情報サーバ６０とを備えている。
【００５０】
なお、ＭＡ２０、鍵サーバ１４０、詳細情報サーバ５０及び基本情報サーバ６０は、ネットワーク１１に接続されていて、ＳＡ１３０は、ネットワーク１１に接続されていない。
【００５１】
ネットワーク１１を介する通信は、秘密鍵暗号方式や公開鍵暗号方式等の暗号方式を利用してセキュアに行われるようになっている。
【００５２】
ここで、ＭＡ２０は、鍵サーバ１４０及び基本情報サーバ６０のＩＰアドレスを予め保持している。
【００５３】
また、ＳＡ１３０は、ＳＡＩＤ保持部３２と、ＭＡ２０に機能を提供すると機能提供部１３１が判断した回数をカウントする判断回数カウント手段としてのカウント部１３２とを有している。なお、ＳＡ１３０の機能提供部１３１は、ＭＡ２０の鍵情報送信部２４によって送信されたＭＡ鍵情報と、カウント部１３２によってカウントされた回数とに基づいて、ＭＡ２０に機能を提供するか否かを判断するようになっている。
【００５４】
また、鍵サーバ１４０は、鍵情報生成部１４１によって生成されたＭＡ鍵情報をＭＡ２０に送信する鍵情報送信部１４２と、鍵情報生成部１４１がＭＡ鍵情報を生成した回数をカウントする生成回数カウント手段としてのカウント部１４３とを有している。なお、鍵サーバ１４０の鍵情報生成部１４１は、ＭＡ２０のＩＤ送信部２３によって送信された利用申請情報に含まれているＭＡＩＤおよびＳＡＩＤと、カウント部１４３によってカウントされた回数とに基づいて毎回異なるＭＡ鍵情報を生成するようになっている。
【００５５】
次に、機能連携システム１１０の動作について説明する。
【００５６】
機能連携システム１１０の動作において、図４に示すＳ１７１からＳ１７８までの動作は、機能連携システム１０の動作である図２に示すＳ７１からＳ７８までの動作と同様であるので、説明を省略する。
【００５７】
図４に示すように、鍵サーバ１４０は、Ｓ１７８においてＭＡ２０によって送信された利用申請情報を受信すると、受信した利用申請情報内に含まれているＳＡＩＤおよびＭＡＩＤと、カウント部１４３によってカウントされた回数とに基づいてＭＡ鍵情報を鍵情報生成部１４１によって生成し（Ｓ１７９）、Ｓ１７９において生成したＭＡ鍵情報を鍵情報送信部１４２によってネットワーク１１を介してＭＡ２０に送信する（Ｓ１８０）。
【００５８】
なお、鍵サーバ１４０は、Ｓ１７９においてＭＡ鍵情報を生成するときに、ＭＡ２０がＳＡ１３０から機能の提供を受けること可能になったことに対する課金情報を、利用申請情報内に含まれているＭＡＩＤに対応付けて記憶するようになっていても良い。
【００５９】
ＭＡ２０は、Ｓ１８０において鍵サーバ１４０によって送信されたＭＡ鍵情報を受信すると、受信したＭＡ鍵情報を鍵情報送信部２４によってＳＡ１３０にネットワーク１１を介さずに近傍通信で送信する（Ｓ１８１）。
【００６０】
次いで、ＳＡ１３０は、Ｓ１８１においてＭＡ２０によって送信されたＭＡ鍵情報と、カウント部１３２によってカウントされた回数とに基づいて、ＭＡ２０に機能を提供するか否かを機能提供部１３１によって判断する（Ｓ１８２）。
【００６１】
ここで、カウント部１３２によってカウントされた回数は、鍵サーバ１４０のカウント部１４３によってカウントされた回数と間接的に同期しているので、例えば、ＳＡ１３０は、ＭＡ鍵情報に所定の処理を施した結果と、カウント部１３２によってカウントされた回数とが一致するとき、ＭＡ２０が鍵サーバ１４０によってＭＡ鍵情報が付与された正規の端末であると判断して、ＭＡ２０に機能を提供すると判断する。
【００６２】
そして、ＳＡ１３０は、ＭＡ２０に機能を提供するとＳ１８２において判断すると、機能提供部１３１によってＭＡ２０に機能をネットワーク１１を介さずに近傍通信で提供する。即ち、ＭＡ２０およびＳＡ３０は、連携動作を開始する（Ｓ１８３）。
【００６３】
以上に説明したように、機能連携システム１１０は、ＳＡ１３０および鍵サーバ１４０が互いに通信できない場合であっても、ＭＡ２０に機能を提供するか否かをＳＡ１３０に判断させることができる。
【００６４】
なお、本発明は図１、図３に示したシステムの一部又は全部の処理機能をプログラムとして構成してコンピュータを用いて実現すること、あるいは図２、図４で示した処理手順をプログラムとして構成してコンピュータに実行させることができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００６５】
また、第１の実施形態において、機能提供部３１は鍵情報送信部２４から送信されるＭＡ鍵情報のみに基づいて機能を提供するかを判断できるものとする。
【００６６】
また、第１、２の実施形態において、ＭＡ２０は詳細情報サーバ５０および基本情報サーバ６０に情報を送信せず利用者にＳＡ機能情報を通知しないで、ＭＡＩＤおよびＳＡＩＤを鍵サーバ４０に送信することにより、ＳＡ３０は、ＭＡ鍵情報、ＭＡ鍵情報およびＳＡ鍵情報、またはＭＡ鍵情報およびカウントされた回数に基づいてＭＡ２０に機能を提供するか否かを判断することができる。
【産業上の利用可能性】
【００６７】
以上のように、本発明に係る機能連携システムは、セキュリティレベルを従来よりも向上することができるという効果を有し、利用者によって携帯される利用者端末と、社会の中に偏在している機能提供端末とを備えた機能連携システム等として有用である。
【図面の簡単な説明】
【００６８】
【図１】本発明の第１の実施形態に係る機能連携システムの構成を示すブロック図。
【図２】図１に示す機能連携システムの動作を示すシーケンス。
【図３】本発明の第２の実施形態に係る機能連携システムの構成を示すブロック図。
【図４】図３に示す機能連携システムの動作を示すシーケンス。
【符号の説明】
【００６９】
１０…機能連携システム
１１…ネットワーク
２０…ＭＡ(利用者端末)
２１…ＳＡＩＤ読取部(ＩＤ読取手段)
２２…ＭＡＩＤ保持部
２３…ＩＤ送信部
２４…鍵情報送信部(鍵情報送信手段)
２５…情報通知部(情報通知手段)
３０…ＳＡ(機能提供端末)
３１…機能提供部(機能提供手段)
４０…鍵サーバ(鍵情報生成装置)
４１…鍵情報生成部(鍵情報生成手段)
４２…鍵情報送信部
５０…詳細情報サーバ(情報提供装置)
５１…詳細情提供部(詳細情報提供手段)
５２…詳細情記憶部
６０…基本情報サーバ
６１…基本情報提供部
６２…基本情報記憶部
１１０…機能連携システム
１３０…ＳＡ(機能提供端末)
１３１…機能提供部(機能提供手段)
１３２…カウント部(判定回数カウント手段)
１４０…鍵サーバ(鍵情報生成装置)
１４１…鍵情報生成部
１４２…鍵情報送信部
１４３…カウント部(生成回数カウント手段)
【図１】
2005318175.tif 000003
【図２】
2005318175.tif 000004
【図３】
2005318175.tif 000005
【図４】
2005318175.tif 000006